(57)【要約】【課題】本発明は情報処理装置の情報処理装置本体、表示装置及び記録媒体に関し、情報処理装置本体はモード変更を行う前に表示装置に対しモード変更の予告通知を行うことにより、モード切り換えの瞬間や直後の動作不良を無くす。【解決手段】情報処理装置本体１Ａでは信号発生部３Ａは表示画面の表示モードを変更する前に表示装置２にモード変更予告情報を送る機能と、表示装置２でのモード判別動作の中断がなされるに要する時間経過後モード変更を行う機能を備えている。また、表示装置２ではモード判別中断判定部は情報処理装置本体１Ａからモード変更予告情報を受け取った際モード判別部６でのモード判別動作を中断させると共に時間計測を開始する機能と、モード変更後同期信号が安定するのに要する時間が経過した際モード判別部でのモード判別動作を再開させる機能を備えている。【選択図】        図１
2004272132.tif 000002
【特許請求の範囲】
【請求項１】
情報処理装置本体に表示装置が接続され、前記表示装置が、前記情報処理装置本体から受け取った同期信号に同期させて表示データを表示する情報処理装置の前記情報処理装置本体であって、
前記表示装置の表示画面で表示データを表示させるための信号を発生する信号発生手段を備え、
前記信号発生手段は、表示画面の表示モードを変更する前に、前記表示装置に対してモード変更を予告するモード変更予告情報を送る機能と、
前記モード変更の予告時から時間計測を開始し、前記表示装置でのモード判別動作の中断がなされるに要する、予め決めた時間経過後、モード変更を行う機能を備えていることを特徴とする情報処理装置本体。
【請求項２】
情報処理装置本体に表示装置が接続され、前記表示装置が、情報処理装置本体から受け取った同期信号に同期させて表示データを表示する情報処理装置の前記表示装置であって、
前記情報処理装置本体から受け取った情報を基にモード判別動作を中断するか否かを判定するモード判別中断判定部と、
前記情報処理装置本体から受け取った同期信号を基に表示モードを判別するモード判別部と、
前記情報処理装置本体から受け取った表示データを、前記モード判別部からの同期信号に同期させて出力する処理を行う信号処理部と、
前記信号処理部での処理結果の表示データを画面に表示する表示部を備え、
前記モード判別中断判定部は、前記情報処理装置本体からモード変更予告情報を受け取った際、モード判別部でのモード判別動作を中断させると共に、時間計測を開始する機能と、
前記時間計測で、モード変更後、同期信号が安定するのに要する、予め決めた時間が経過した際、モード判別部でのモード判別動作を再開させる機能を備えていることを特徴とする表示装置。
【請求項３】
情報処理装置本体に表示装置が接続され、前記表示装置が、前記情報処理装置本体から受け取った同期信号に同期させて表示データを表示する情報処理装置の前記情報処理装置本体であって、
前記表示装置の表示画面で表示データを表示させるための信号を発生する信号発生手段を備え、
前記信号発生手段は、表示画面の表示モードを変更する前に、前記表示装置に対してモード変更を予告するモード変更予告情報を送ると共に第１の時間計測を開始する機能と、
前記第１の時間計測で、表示装置でのモード判別動作が中断するのに要する、予め決めた時間が経過した際、表示のモード変更を行い、第２の時間計測を開始する機能と、
前記第２の時間計測で、変更後の同期信号が安定するのに要する、予め決めた時間が経過した際、前記表示装置に対し、モード判別動作を再開させるためのモード判別動作再開指示情報を送る機能を備えていることを特徴とする情報処理装置本体。
【請求項４】
情報処理装置本体に表示装置が接続され、前記表示装置が、情報処理装置本体から受け取った同期信号に同期させて表示データを表示する情報処理装置の前記表示装置であって、
前記情報処理装置本体から受け取った情報を基にモード判別動作を中断するか否かを判定するモード判別中断判定部と、
前記情報処理装置本体から受け取った同期信号を基に表示モードを判別するモード判別部と、
前記情報処理装置本体から受け取った表示データを、前記モード判別部からの同期信号に同期させて出力する処理を行う信号処理部と、
前記信号処理部での処理結果の表示データを画面に表示する表示部を備え、
前記モード判別中断判定部は、前記情報処理装置本体からモード変更予告情報を受信した際、モード判別部でのモード判別動作を中断させる機能と、
情報処理装置本体からモード判別動作再開指示情報を受け取った際、モード判別部でのモード判別動作を再開させる機能を備えていることを特徴とする表示装置。
【請求項５】
コンピュータに、
表示画面の表示モードを変更する前に、表示装置に対してモード変更を予告するモード変更予告情報を送る機能と、
前記モード変更の予告時から時間計測を開始し、前記表示装置でのモード判別動作の中断がなされるに要する、予め決めた時間経過後、モード変更を行う機能と、
を実現させるためのプログラムを記録したコンピュータ読み取り可能な記録媒体。
【発明の詳細な説明】
【０００１】
【発明の属する技術分野】本発明は、情報処理装置本体に表示装置が接続され、情報処理装置本体から送られた同期信号に同期させて表示データを表示する情報処理装置の情報処理装置本体、表示装置及び記録媒体に関する。
【０００２】
【従来の技術】以下、従来例について説明する。従来、表示装置と情報処理装置とが接続された装置（又はシステム）として以下のような具体例が知られていた。以下、これらの具体例を、「従来例１」、「従来例２」、「従来例３」、「従来例４」として説明する。
【０００３】
§１：従来例１の説明
図９は従来例１の説明図である。また、図１０は従来例１における表示装置の処理フローチャートである。従来例１は、パーソナルコンピュータ（以下、単に「パソコン」とも記す）本体と表示装置が接続されたシステム（又は装置）の例である。
【０００４】
図９において、１はパソコン本体、２は表示装置、３はグラフィックアダプタ（以下「ＧＡ」と記す）、４は表示部（ＬＣＤパネル、ＣＲＴ表示部等）、５は信号処理部、６はモード判別部を示す。また、（ａ）  は映像データ（表示データ）を伝送するライン、（ｂ）  は同期信号（ＨＳ、ＶＳ、ＤＥ）を示す。
【０００５】
従来、パソコン本体１に表示装置２を接続し、パソコン本体１の制御により表示装置２の表示画面上に表示データ（映像）を表示することが行なわれていた。この場合、パソコン本体１にはＧＡ３を備え、表示装置２には、表示部４、信号処理部５、モード判別部６等を備えていた。これらの各部の処理を図１０の処理フローチャートに基づいて説明する。なお、図１０において、Ｓ１〜Ｓ６は各処理ステップを示す。
【０００６】
図９の構成により表示するには次のように処理を行う。図９に示したように、パソコン本体１のＧＡ３から表示装置２に対し、（ａ）  の映像データ（表示データ）と（ｂ）  の同期信号（ＨＳ、ＶＳ、ＤＥ）を送出しているものとする。この状態で、モード判別部６は表示中のモードに対応した同期信号を受信して判別し（Ｓ１）判別結果を信号処理部５に通知する。
【０００７】
次に、信号処理部５はモード判別部６から通知された同期信号により表示データを処理して表示部４の画面に表示する（Ｓ２）。そして、モード判別部６は、受信した同期信号が変化したかどうかを判別し（Ｓ３）、変化がなければＳ１の処理へ戻り、変化したら、モード判別部６は信号処理部５へ通知して、信号処理部６の動作を一時的に中断させる（Ｓ４）。
【０００８】
その間、新しいモードに対応した表示データ処理のためのセットアップが完了する（Ｓ５）。次に、一定時間経過した後、信号処理部５の出力を再開し（Ｓ６）、Ｓ１の処理に戻る。以上の処理を繰り返すことで表示装置の処理を行う。
【０００９】
§２：従来例２の説明（特許文献１）
図１１は従来例２の説明図である。この例は特許文献１の発明であり、以下、この発明を従来例２として説明する。
【００１０】
この発明は、画面サイズ切換信号発生装置に関するものであり、テレビジョンの画面サイズを切り換える画面サイズ切換信号を発生する画面サイズ切換信号発生装置であって、画面サイズの異なる複数のモードを切り換えるモード切換信号を発生するモード切換信号発生手段と、前記モード切換信号を遅延させ、前記画面サイズ切換信号として出力する遅延手段と、前記モード切換信号に応答して映像信号あるいは所定レベルを選択的に出力する選択手段とを備え、前記選択手段は、その選択状態が、前記遅延手段からの前記画面サイズ切換信号出力前に映像信号から所定レベルに切り換わり、前記画面サイズ切換信号出力後に所定レベルから映像信号に切り換わるように設定された画面サイズ切換信号発生装置に関する。
【００１１】
図１１において、モード切り換えスイッチ１からの信号はラッチ回路１１及びＥＸ−ＯＲゲート１２の一方入力に与えられる。ラッチ回路１１は、ラッチクロック入力端子１３から与えられるラッチクロックに同期してその時点でのモード切り換えスイッチ１からの信号をラッチする。ラッチ回路１１の出力は、セレクタ２及びＥＸ−ＯＲゲート１２の他方入力に与えられる。セレクタ２はラッチ回路１１からの出力に応じて第１、第２のクロックジェネレータ３、４の出力を選択的に出力する。
【００１２】
ＥＸ−ＯＲゲート１２の出力はラッチ回路１４及びＯＲゲート１５の一方入力に与えられる。ラッチ回路１４は、ラッチクロック入力端子１６から与えられるラッチクロックに同期してその時点でのＥＸ−ＯＲゲート１２からの信号をラッチする。ラッチ回路１４の出力はＯＲゲート１５の他方入力に与えられる。ＯＲゲート１５の出力はセレクタ１７に切換制御信号として与えられる。
【００１３】
セレクタ１７は、従来装置において、アンテナからのＭＵＳＥ信号の伝送経路において、ディジタル信号処理回路６とＤ／Ａ変換器７の間に介挿されている。セレクタ１７にはスイッチ２０の切り換えにより電源電圧ＶＤＤあるいはＧＮＤ電位が与えられている。スイッチ２０は電源電圧ＶＤＤ側にスイッチングされているものとする。
【００１４】
セレクタ１７にはディジタル信号処理回路６からディジタル化された輝度信号や色差信号（以下映像信号ＶＳという）が与えられている。セレクタ１７はＯＲゲート１５の出力が“Ｈ”の場合には、電源電圧ＶＤＤを出力し、“Ｌ”の場合には映像信号ＶＳを出力し、Ｄ／Ａ変換器７に与える。なお、５はＡ／Ｄ変換器、８はＬＰＦ、９はマトリクス回路を示す。
【００１５】
この例では、画面サイズ変更時、切換信号の出力以前に、映像信号から所定レベルに切り換わり、切換信号出力後に、所定レベルから映像信号に切り換わる様にし、モード切替時の表示ノイズをカットする。しかし、従来例２は、本発明の従来の技術的バックグラウンドを示す程度のものである。
【００１６】
§３：従来例３の説明（特許文献２）
図１２は従来例３の説明図である。この例は特許文献２の発明であり、以下、この発明を従来例３として説明する。
【００１７】
この発明は、高い品質の表示画像を維持し、同期合わせ処理中の画像の乱れを故障と誤解されないような対策を施すものである。このため、モード切り換え処理中の表示画像の乱れが発生するおそれがある間、表示部１２への画像の表示を強制的に停止する。このために、モード切り換え検出部１３が同期信号の乱れを監視し、これを検出したとき、時計部１４が予め定められた表示抑制時間を計時する。表示の抑制処理はバックライトのオフや表示画面の色の固定等を行う。
【００１８】
この場合、パーソナルコンピュータ１の出力する同期信号２２は、モード切り換え検出部１３に入力し、モード切り換え検出部１３の出力は計時部１４に入力して、更に計時部１４の出力は表示抑制処理部１５に入力するよう構成されている。なお、２１はパーソナルコンピュータ１の出力する画像信号である。表示部１２は、液晶ディスプレイ１２−１及びバックライト制御部１２−２から構成されており、表示制御部１１の出力は、液晶ディスプレイ１２−１に入力するように構成されている。
【００１９】
また、バックライト制御部１２−２には、表示抑制処理部１５から制御信号が入力するように構成されている。上記表示制御部１１は、画像信号２１と同期信号２２を受け入れて、液晶ディスプレイ１２−１に対し画像信号を所定のタイミングで出力し、演算処理情報の表示を抑制するよくしられた回路である。
【００２０】
モード切り換え検出部１３は、同期信号２２を受け入れて、その同期信号の乱れを検出する回路である。同期信号２２には、例えば、水平、垂直同期信号が含まれており、表示モード切り換えの際に一定時間乱れを生じる。この場合、モード切り換え検出部１３に入力する同期信号の周波数成分が正常な画像を表示する場合と比べて異なったものになる。
【００２１】
この発明では、モード切り換え中の表示画像に乱れが発生する恐れのある間は、表示部への画像の表示を強制的に停止するものであり、同期信号の乱れを監視する。表示モードに変化があった時、開始を検出あるいは切換の指示信号を監視する。しかし、従来例３は、本発明の従来の技術的バックグラウンドを示す程度のものである。
【００２２】
§４：従来例４の説明（特許文献３）
図１３は従来例４の説明図である。この例は特許文献３の発明であり、以下、この発明を従来例４として説明する。
【００２３】
この発明は、表示モード切り換えの際の不自然な画像の乱れを防止し、装置の操作性の向上を図るものである。このため、従来例４では、従来水平帰線期間や垂直帰線期間における非表示制御に用いられていたブランキング信号を、表示モードの切り換えの際に一定時間発生することができるブランキング制御部１１を設ける。表示モード切り換えのためにモード選択部３の出力が変わると、ブランキング制御部１１は一定時間ブランキング信号を生成し、画像信号処理部６に向けて供給する。これによって、その間表示部７に向けて出力される画像信号が抑止される。従って、モード切り換え時の乱れた画像が表示部７に表示されない。
【００２４】
図１３に示したように、この装置は、プロセッサ１により制御され、第１ＣＲＴＣ２−１と第２ＣＲＴＣ２−２が、それぞれ異なるモードの画像信号やタイミング制御信号を生成し出力する構成となっている。
【００２５】
ここで、プロセッサ１と、第１ＣＲＴＣ２−１と、第２ＣＲＴＣ２−２と、モードレジスタ３とがシステムバス４に接続されている。モードレジスタ３は、この装置によって表示する画像表示モードを選択指示するために設けられている。なお、５はマルチプレクサ部、９−２はタイミング制御部、４はシステムバスを示す。
【００２６】
本装置は、２種類以上の表示モードのいずれによっても画像表示が可能な表示部に対し、そのいずれかを選択して表示させる場合に、表示モードの選択指示が切り換えられた後、一定時間ブランキング信号を出力して、画像信号の出力を抑止するブランキング制御部を設けるようにしたので、画像信号切り換えの際の画像の乱れが表示部に表示されず、オペレータに対し不快感を与えたり、また故障と誤解されるようなことが無い。また、プロセッサへの割り込みによって表示モード選択が切り換えられる直前から一定時間だけ画像信号の全てのビットを無効にするようにしたので、比較的少ないハードウェア構成でプロセッサ自身の表示制御によって表示モード切り換えの際の乱れた画面の表示を抑止することができる。
【００２７】
このように、プロセッサへの割り込みにより、表示モードの選択切換の直前から一定時間、画像信号の全てのビットを無効にし、切り換え時の乱れた画面の表示を抑止する。しかし、従来例４は、本発明の従来の技術的バックグラウンドを示す程度のものである。
【００２８】
【特許文献１】
特開平４−１６２８７４号公報
【特許文献２】
特開平６−１３０９０６号公報
【特許文献３】
特開平６−２０２６０２号公報
【００２９】
【発明が解決しようとする課題】前記のような従来のものにおいては、次のような課題があった。
【００３０】
従来例１の表示装置では、入力されているモード変更によって動作を切り換える際には、同期信号（ＨＳ、ＶＳ、ＤＥ）の変化を検知し、その切り換えを行なっていた。
【００３１】
そのため、モードが切り換わる瞬間又は直後のＧＡからの出力信号は安定していないことが多々有り、異常な信号が出力される。この異常な信号を受信した表示装置がモードの判別を行おうとするが、正常にモードの判別を行なえず、表示装置がハングするなどの動作不良を起こす原因の一つとなっていた。
【００３２】
本発明は、このような従来の課題を解決し、情報処理装置本体はモード変更を行う前に表示装置と通信を行い、その中でモード変更の予告通知を行うことにより、モード切り換えの瞬間や直後の動作不良を無くすことを目的とする。
【００３３】
【課題を解決するための手段】本発明は前記の目的を達成するため、次のように構成した。
【００３４】
（１）  ：情報処理装置本体に表示装置が接続され、前記表示装置が、前記情報処理装置本体から受け取った同期信号に同期させて表示データを表示する情報処理装置の前記情報処理装置本体であって、前記表示装置の表示画面で表示データを表示させるための信号を発生する信号発生手段を備え、前記信号発生手段は、表示画面の表示モードを変更する前に、前記表示装置に対してモード変更を予告するモード変更予告情報を送る機能と、前記モード変更の予告時から時間計測を開始し、前記表示装置でのモード判別動作の中断がなされるに要する、予め決めた時間（例えば、ｔ１）経過後、モード変更を行う機能を備えていることを特徴とする情報処理装置本体。
【００３５】
（２）  ：情報処理装置本体に表示装置が接続され、前記表示装置が、情報処理装置本体から受け取った同期信号に同期させて表示データを表示する情報処理装置の前記表示装置であって、前記情報処理装置本体から受け取った情報を基にモード判別動作を中断するか否かを判定するモード判別中断判定部と、前記情報処理装置本体から受け取った同期信号を基に表示モードを判別するモード判別部と、前記情報処理装置本体から受け取った表示データを、前記モード判別部からの同期信号に同期させて出力する処理を行う信号処理部と、前記信号処理部での処理結果の表示データを画面に表示する表示部を備え、前記モード判別中断判定部は、前記情報処理装置本体からモード変更予告情報を受け取った際、モード判別部でのモード判別動作を中断させると共に、時間計測を開始する機能と、前記時間計測で、モード変更後、同期信号が安定するのに要する、予め決めた時間（例えば、ｔ２）が経過した際、モード判別部でのモード判別動作を再開させる機能を備えていることを特徴とする表示装置。
【００３６】
（３）  ：情報処理装置本体に表示装置が接続され、前記表示装置が、前記情報処理装置本体から受け取った同期信号に同期させて表示データを表示する情報処理装置の前記情報処理装置本体であって、前記表示装置の表示画面で表示データを表示させるための信号を発生する信号発生手段を備え、前記信号発生手段は、表示画面の表示モードを変更する前に、前記表示装置に対してモード変更を予告するモード変更予告情報を送ると共に第１の時間計測を開始する機能と、前記第１の時間計測で、表示装置でのモード判別動作が中断するのに要する、予め決めた時間（例えば、ｔ１）が経過した際、表示のモード変更を行い、第２の時間計測を開始する機能と、前記第２の時間計測で、変更後の同期信号が安定するのに要する、予め決めた時間（例えば、ｔ３）が経過した際、前記表示装置に対し、モード判別動作を再開させるためのモード判別動作再開指示情報を送る機能を備えていることを特徴とする情報処理装置本体。
【００３７】
（４）  ：情報処理装置本体に表示装置が接続され、前記表示装置が、情報処理装置本体から受け取った同期信号に同期させて表示データを表示する情報処理装置の前記表示装置であって、前記情報処理装置本体から受け取った情報を基にモード判別動作を中断するか否かを判定するモード判別中断判定部と、前記情報処理装置本体から受け取った同期信号を基に表示モードを判別するモード判別部と、前記情報処理装置本体から受け取った表示データを、前記モード判別部からの同期信号に同期させて出力する処理を行う信号処理部と、前記信号処理部での処理結果の表示データを画面に表示する表示部を備え、前記モード判別中断判定部は、前記情報処理装置本体からモード変更予告情報を受信した際、モード判別部でのモード判別動作を中断させる機能と、情報処理装置本体からモード判別動作再開指示情報を受け取った際、モード判別部でのモード判別動作を再開させる機能を備えていることを特徴とする表示装置。
【００３８】
（作用）
前記構成に基づく本発明の作用を、図１に基づいて説明する。
【００３９】
（ａ）  ：前記構成（１）  の作用
情報処理装置本体１Ａの信号発生手段（信号発生部３Ａ）は、表示画面の表示モードを変更する前に、表示装置２に対してモード変更を予告するモード変更予告情報（例えば、コマンド）を送る。この時、信号発生手段（信号発生部３Ａ）は、前記モード変更の予告時からタイマで時間計測を開始し、表示装置２でのモード判別動作の中断がなされるに要する、予め決めた時間（例えば、ｔ１時間）経過後、モード変更を行う。この時、表示装置２に対し変更後の同期信号の送信を開始する。
【００４０】
このようにして、情報処理装置本体１Ａは、モード変更を行う前に表示装置２と通信を行い、その中でモード変更の予告通知を行うことにより、モード切り換えの瞬間や直後の動作不良を無くすことが可能になる。
【００４１】
（ｂ）  ：前記構成（２）  の作用
表示装置２のモード判別中断判定部７は、情報処理装置本体１Ａからモード変更予告情報を受け取った際、モード判別部６でのモード判別動作を中断させる（直ちに中断させる）と共に、タイマ（例えば、内部のソフトタイマ）を起動し、時間計測を開始する。そして、前記時間計測で、モード変更後、同期信号が安定するのに要する、予め決めた時間（例えば、ｔ２時間）が経過した際、モード判別部６でのモード判別動作を再開させる。
【００４２】
このようにして、表示装置２では、情報処理装置本体１Ａからのモード変更予告情報を受信した際、直ちにモード判別動作を中断させると共に、同期信号が安定するのに要する、予め決めた時間（例えば、ｔ２時間）が経過した際、モード判別部６でのモード判別動作を再開させるので、モード切り換えの瞬間や直後の動作不良を無くすことが可能になる。
【００４３】
（ｃ）  ：前記構成（３）  の作用
情報処理装置本体１Ａの信号発生手段（信号発生部３Ａ）は、表示画面の表示モードを変更する前に、表示装置２に対してモード変更を予告するモード変更予告情報を送ると共に第１の時間計測を開始する。そして、前記第１の時間計測で、表示装置２でのモード判別動作が中断するのに要する、予め決めた時間（例えば、ｔ１時間）が経過した際、表示のモード変更を行い、第２の時間計測を開始する。
【００４４】
そして、前記第２の時間計測で、変更後の同期信号が安定するのに要する、予め決めた時間（例えば、ｔ３時間）が経過した際、表示装置２に対し、モード判別動作を再開させるためのモード判別動作再開指示情報（例えば、コマンド）を送る。
【００４５】
このようにして、情報処理装置本体１Ａは、モード変更を行う前に表示装置２と通信を行い、その中でモード変更の予告通知を行うことにより、モード切り換えの瞬間や直後の動作不良を無くすことが可能になる。
【００４６】
（ｄ）  ：前記構成（４）  の作用
表示装置２のモード判別中断判定部７は、情報処理装置本体１Ａからモード変更予告情報（例えば、コマンド）を受信した際、モード判別部６でのモード判別動作を中断させる。そして、情報処理装置本体１Ａからモード判別動作再開指示情報を受け取った際、モード判別部６でのモード判別動作を再開させる。
【００４７】
このようにして、表示装置２では、情報処理装置本体１Ａからのモード変更予告情報を受信した際、直ちにモード判別動作を中断させる。その後、情報処理装置本体１Ａからモード判別動作再開指示情報を受け取った際、モード判別部６でのモード判別動作を再開させるようにしているので、モード切り換えの瞬間や直後の動作不良を無くすことが可能になる。
【００４８】
【発明の実施の形態】以下、本発明の実施の形態を図面に基づいて詳細に説明する。
【００４９】
§１：装置の説明
図２は装置例の説明図である。この装置例は、パーソナルコンピュータ（以下、単に「パソコン」とも記す）本体に表示装置が接続された情報処理装置の例である。
【００５０】
図２において、１はパソコン本体、２は表示装置、３はグラフィックアダプタ（以下「ＧＡ」と記す）、８はＧＡ３内の制御部、４は表示部（ＬＣＤパネル、ＣＲＴ表示部等）、５は信号処理部、６はモード判別部、７はモード判別中断判定部を示す。
【００５１】
また、（ａ）  は映像データ（表示データ）を伝送するライン（伝送線）、（ｂ）  は同期信号（ＨＳ、ＶＳ、ＤＥ）を伝送するライン（伝送線）、（ｃ）  はＤＤＣを伝送するライン（伝送線）を示す。なお、前記ＨＳは水平同期信号、ＶＳは垂直同期信号、ＤＥはデータイネーブル信号、ＤＤＣはディスプレイ・データ・チャンネル信号（表示装置２とパソコン本体１間で表示装置２の特性に関するデータの通信を行う信号）を示す。
【００５２】
また、パソコン本体１にはＧＡ３を備え、該ＧＡ３にはプログラムで構成された制御部８が設けてある。なお、図２のＧＡ３は図９に示した従来例のＧＡ３に、制御部８のプログラムを追加した例である。また、表示装置２には、表示部４、信号処理部５、モード判別部６、モード判別中断判定部７等を備えている。
【００５３】
この例では、パソコン本体１に表示装置２を接続し、パソコン本体１内のＧＡ３の制御により表示装置２の表示部４上の画面に映像データ（表示データ）を表示する。
【００５４】
この場合、パソコン本体１内のＧＡ３から表示装置２に対し、映像データ（表示データ）（ａ）  、同期信号（ＨＳ、ＶＳ、ＤＥ）（ｂ）  、ＤＤＣ（ｃ）  の各信号を送信しており、表示装置２では、（ａ）  の信号を信号処理部５が受信し、同期信号（ｂ）  をモード判別部６が受信し、（ｃ）  の信号をモード判別中断判定部７が受信し、それぞれの処理を行う。
【００５５】
先ず、モード判別中断判定部７は受信情報（例えば、コマンド）からモード判別中断をするか否かの判定を行い、モード判別中断をする際には、モード判別部６へモード判別中断指示を出す。モード判別部６は受信した同期信号からモードを判別し信号処理部５へ指示を出す（同期信号を送る）。
【００５６】
信号処理部５はモード判別部６から指示された同期信号により、受信した表示データ（映像情報）を表示形態に合った信号に処理して表示部４へ出力する。表示部４は信号処理部５から出力された表示データを画面に表示する。以下、更に詳細に説明する。
【００５７】
（例１の説明）
§１：ＧＡ−表示装置間の処理の説明
図３はＧＡ−表示装置間のタイミングチャートである。以下、図３のタイミングチャートに基づいて、例１のＧＡ−表示装置間の処理を説明する。
【００５８】
表示状態では、ＧＡ３から表示装置２へ表示中のモードに対応した同期信号を送信し、表示装置２のモード判別部６が前記同期信号を受信することで、受信した同期信号により映像表示（表示データを表示）する。その後、パソコン本体１内でモード変更指示（オペレータのキーボード操作やプログラムで設定された条件を満たした際に、プログラムから指示が行なわれる）が発生すると、パソコン本体１内と表示装置２との間でＤＤＣ／ＣＩ通信を開始する。
【００５９】
そして、この通信中に、ＧＡ３の制御部８では、表示装置２に対しモード変更予告のコマンドを発行し、ＧＡ３内のタイマを起動して、モード変更開始までの時間（ｔ１）の計測を開始する。この時、表示装置２では、モード判別中断判定部７が前記モード変更予告のコマンドを受信すると、モード判別中断判定部７からモード判別部６へモード判別中断を通知し、内部のタイマ（例えば、ソフトタイマ）を起動し、モード判別中断再開までの時間（ｔ２）の計測を開始する。そして、モード判別部６は直ちにモード判別動作を中断する。
【００６０】
その後、ＧＡ８内での時間計測により、所定時間（例えば、ｔ１）が経過すると、ＧＡ３はモード変更を行う。そして、変更後の同期信号の送信を開始する。このモード変更前に、表示装置２のモード判別部６ではモード判別動作を中断しており、モード変更時及びモード変更直後の不安定な時間帯でのモード判別動作は一切行なわれていない。
【００６１】
その後、モード判別中断判定部７での時間計測により所定時間（ｔ２）が経過すると、モード判別中断判定部７からモード判別部６へモード判別動作再開を通知する。この通知を受けたモード判別部６ではモード判別動作を再開する。そして、表示装置２では変更後の同期信号を受信して映像を表示する。前記モード判別動作再開時には、既に同期信号は安定しており、モード変更時の不安定な同期信号の判別動作は避けている。
【００６２】
なお、前記時間ｔ１は、表示装置２でのモード判別動作の中断がなされるに要する、予め決めた時間であり、前記時間ｔ２は、モード変更後、同期信号が安定するのに要する、予め決めた時間である。また、前記タイマは、例えば、ソフトタイマであるが、別のハードウェアによるタイマでも実現可能である。
【００６３】
§２：例１のＧＡの処理の説明
図４は例１のＧＡの処理フローチャートである。以下、図４に基づいて、例１のＧＡの処理を説明する。なお、図４において、Ｓ１１〜Ｓ１５は各処理ステップを示す。
【００６４】
ＧＡ３は、表示中のモードに対応した同期信号を送信している（Ｓ１１）。そしてＧＡ３は、モード変更指示が有るか否かを判断し（Ｓ１２）、モード変更指示がなければＳ１１の処理へ移行する。この場合のモード変更指示は、オペレータのキーボード操作により発生する場合や、所定のプログラム（所定の条件を満たした時にモード変更指示を出すようなプログラム）から発生する場合など、各種の場合がある。
【００６５】
その後、モード変更指示が有ると、ＧＡ３は、表示装置２とＤＤＣ／ＣＩで通信を行い、この通信中に、モード変更予告のコマンドを発行する（この例では、制御部８がモード変更予告のコマンドの発行を行う）。そして、この時、ＧＡ３はタイマを起動し、モード変更までの時間（ｔ１）の計測を開始する（Ｓ１３）。
【００６６】
その後、ＧＡ３は、前記タイマによる時間計測で、所定時間（ｔ１）経過後、モード変更を行い（Ｓ１４）、変更後のモードで、同期信号の送信を行う（Ｓ１５）。そして、前記Ｓ１１の処理へ移行する。
【００６７】
§３：表示装置の処理の説明
図５は表示装置の処理フローチャートである。以下、図５に基づいて、例１の表示装置の処理を説明する。なお、図５において、Ｓ２１〜Ｓ２６は各処理ステップを示す。
【００６８】
映像の表示中は、パソコン本体１から通知されたモードの同期信号により表示部４の画面に映像を表示する（Ｓ２１）。この時、モード判別中断判定部７は、ＤＤＣを介してモード変更予告のコマンドを受信したか否かを判断し（Ｓ２２）、受信していなければ前記Ｓ２１の処理へ移行する。
【００６９】
しかし、モード変更予告のコマンドを受信したら、モード判別中断判定部７は、モード判別動作を中断させる指示情報をモード判別部６へ送出し、内部のタイマを起動して時間計測を開始する（Ｓ２３）。この時、モード判別部６は、モード判別中断判定部７からの指示情報により、モード判別動作を中断する（Ｓ２４）。
【００７０】
その後、所定時間（ｔ２）が経過後、モード判別中断判定部７よりモード判別再開を指示する指示情報をモード判別部６へ送出する（Ｓ２５）。モード判別部６は、モード判別中断判定部７からの指示情報により、モード判別動作を再開し（Ｓ２６）、Ｓ２１の処理へ移行する。
【００７１】
（例２の説明）
§１：ＧＡ−表示装置間の処理の説明
図６は例２のＧＡ−表示装置間のタイミングチャートである。以下、図６のタイミングチャートに基づいて、例２のＧＡ−表示装置間の処理を説明する。
【００７２】
表示状態では、ＧＡ３から表示装置２へ表示中のモードに対応した同期信号を送信し、表示装置２のモード判別部６が受信することで、受信した同期信号で映像表示する。その後、パソコン本体１内でモード変更指示が発生すると、パソコン本体１内と表示装置２との間でＤＤＣ／ＣＩ通信を開始する。
【００７３】
そして、この通信中に、ＧＡ３の制御部８では、表示装置２に対しモード変更予告のコマンドを発行し、ＧＡ３内のタイマを起動して、モード変更開始までの時間（ｔ１）の計測を開始する。この時、表示装置２では、モード判別中断判定部７が前記モード変更予告のコマンドを受信すると、モード判別中断判定部７からモード判別部６へモード判別中断を通知する。モード判別部６は直ちにモード判別動作を中断する。
【００７４】
その後、ＧＡ８内での時間計測により、所定時間（ｔ１）が経過すると、ＧＡ３はモード変更を行う。そして、変更後の同期信号の送信を開始する。また同時に、ＧＡ３は、タイマで時間計測を開始する。その後、変更後の同期信号が安定する時間（ｔ３）経過後、ＧＡ３は、表示装置２に対しモード判別動作再開指示コマンドを発行する。
【００７５】
一方、表示装置２では、モード判別中断判定部７がＧＡ３からのモード判別動作再開指示コマンドを受信し、モード判別部６へ判別動作再開を指示する。この時、モード判別部６は、モード判別動作を再開する。そして、変更後の同期信号を受信して、表示部４の画面上に映像信号を表示する。
【００７６】
なお、前記時間ｔ１は、表示装置２でのモード判別動作の中断がなされるに要する、予め決めた時間であり、前記時間ｔ３は、変更後の同期信号が安定するのに要する、予め決めた時間である。
【００７７】
§２：例２のＧＡの処理の説明
図７は例２のＧＡの処理フローチャートである。以下、図７に基づいて、例２のＧＡの処理を説明する。なお、図７において、Ｓ３１〜Ｓ３６は各処理ステップを示す。
【００７８】
ＧＡ３は、表示中のモードに対応した同期信号を送信している（Ｓ３１）。そしてＧＡ３は、モード変更指示が有るか否かを判断し（Ｓ３２）、モード変更指示がなければＳ３１の処理へ移行する。この場合のモード変更指示は、オペレータのキーボード操作により発生する場合や、所定のプログラム（所定の条件を満たした時にモード変更指示を出すようなプログラム）から発生する場合など、各種の場合がある。
【００７９】
その後、モード変更指示が有ると、ＧＡ３は、表示装置２とＤＤＣ／ＣＩで通信を行い、この通信中に、モード変更予告のコマンドを発行する（この例では、制御部８がモード変更予告のコマンドの発行を行う）。そして、この時、ＧＡ３はタイマを起動し、モード変更までに要する時間（ｔ１）の計測を開始する（Ｓ３３）。そして、所定時間（Ｔ１）経過後、モード変更を行う。この時、タイマを起動し、時間計測を開始する（Ｓ３４）。
【００８０】
その後、ＧＡ３は、変更後のモードで同期信号の送信を開始する（Ｓ３５）。そして、変更後の同期信号が安定するのに要する時間（ｔ３）経過後、表示装置２に対しモード判別動作再開指示コマンドを発行し（Ｓ３６）、前記Ｓ３１の処理へ移行する。
【００８１】
§３：表示装置の処理の説明
図８は例２の表示装置の処理フローチャートである。以下、図８に基づいて、例２の表示装置の処理を説明する。なお、図８において、Ｓ４１〜Ｓ４７は各処理ステップを示す。
【００８２】
表示装置２では、映像の表示中は、パソコン本体１から通知されたモードの同期信号により表示部４の画面に映像を表示する（Ｓ４１）。この時、モード判別中断判定部７は、ＤＤＣを介してモード変更予告のコマンドを受信したか否かを判断し（Ｓ４２）、受信していなければ前記Ｓ４１の処理へ移行する。
【００８３】
しかし、モード変更予告のコマンドを受信したら、モード判別中断判定部７は、一定時間だけモード判別動作を中断させる指示情報をモード判別部６へ送出する（Ｓ４３）。この時、モード判別部６は、モード判別中断判定部７からの指示情報により、モード判別動作を中断する（Ｓ４４）。
【００８４】
その後、モード判別中断判定部７は、ＧＡ３からのモード判別動作再開指示コマンドを受信するのを待ち（Ｓ４５）、該コマンドを受信したら、モード判別中断判定部７は、モード判別部６に対し、モード判別動作再開を指示する（Ｓ４６）。
【００８５】
モード判別部６は、前記指示を受け取ると、直ちに、モード判別動作を再開する。そして、変更後の同期信号を受信して映像の表示を再開し（Ｓ４７）、前記Ｓ４１の処理へ移行する。
【００８６】
（付記）
前記の説明に対し、以下の構成を付記する。
【００８７】
（付記１）
情報処理装置本体に表示装置が接続され、前記表示装置が、前記情報処理装置本体から受け取った同期信号に同期させて表示データを表示する情報処理装置の前記情報処理装置本体であって、
前記表示装置の表示画面で表示データを表示させるための信号を発生する信号発生手段を備え、
前記信号発生手段は、表示画面の表示モードを変更する前に、前記表示装置に対してモード変更を予告するモード変更予告情報を送る機能と、
前記モード変更の予告時から時間計測を開始し、前記表示装置でのモード判別動作の中断がなされるに要する、予め決めた時間経過後、モード変更を行う機能を備えていることを特徴とする情報処理装置本体。
【００８８】
（付記２）
情報処理装置本体に表示装置が接続され、前記表示装置が、情報処理装置本体から受け取った同期信号に同期させて表示データを表示する情報処理装置の前記表示装置であって、
前記情報処理装置本体から受け取った情報を基にモード判別動作を中断するか否かを判定するモード判別中断判定部と、
前記情報処理装置本体から受け取った同期信号を基に表示モードを判別するモード判別部と、
前記情報処理装置本体から受け取った表示データを、前記モード判別部からの同期信号に同期させて出力する処理を行う信号処理部と、
前記信号処理部での処理結果の表示データを画面に表示する表示部を備え、
前記モード判別中断判定部は、前記情報処理装置本体からモード変更予告情報を受け取った際、モード判別部でのモード判別動作を中断させると共に、時間計測を開始する機能と、
前記時間計測で、モード変更後、同期信号が安定するのに要する、予め決めた時間が経過した際、モード判別部でのモード判別動作を再開させる機能を備えていることを特徴とする表示装置。
【００８９】
（付記３）
情報処理装置本体に表示装置が接続され、前記表示装置が、前記情報処理装置本体から受け取った同期信号に同期させて表示データを表示する情報処理装置の前記情報処理装置本体であって、
前記表示装置の表示画面で表示データを表示させるための信号を発生する信号発生手段を備え、
前記信号発生手段は、表示画面の表示モードを変更する前に、前記表示装置に対してモード変更を予告するモード変更予告情報を送ると共に第１の時間計測を開始する機能と、
前記第１の時間計測で、表示装置でのモード判別動作が中断するのに要する、予め決めた時間が経過した際、表示のモード変更を行い、第２の時間計測を開始する機能と、
前記第２の時間計測で、変更後の同期信号が安定するのに要する、予め決めた時間が経過した際、前記表示装置に対し、モード判別動作を再開させるためのモード判別動作再開指示情報を送る機能を備えていることを特徴とする情報処理装置本体。
【００９０】
（付記４）
情報処理装置本体に表示装置が接続され、前記表示装置が、情報処理装置本体から受け取った同期信号に同期させて表示データを表示する情報処理装置の前記表示装置であって、
前記情報処理装置本体から受け取った情報を基にモード判別動作を中断するか否かを判定するモード判別中断判定部と、
前記情報処理装置本体から受け取った同期信号を基に表示モードを判別するモード判別部と、
前記情報処理装置本体から受け取った表示データを、前記モード判別部からの同期信号に同期させて出力する処理を行う信号処理部と、
前記信号処理部での処理結果の表示データを画面に表示する表示部を備え、
前記モード判別中断判定部は、前記情報処理装置本体からモード変更予告情報を受信した際、モード判別部でのモード判別動作を中断させる機能と、
情報処理装置本体からモード判別動作再開指示情報を受け取った際、モード判別部でのモード判別動作を再開させる機能を備えていることを特徴とする表示装置。
【００９１】
（付記５）
コンピュータに、
表示画面の表示モードを変更する前に、表示装置に対してモード変更を予告するモード変更予告情報を送る機能と、
前記モード変更の予告時から時間計測を開始し、前記表示装置でのモード判別動作の中断がなされるに要する、予め決めた時間経過後、モード変更を行う機能と、
を実現させるためのプログラムを記録したコンピュータ読み取り可能な記録媒体。
【００９２】
（付記６）
コンピュータに、
表示画面の表示モードを変更する前に、表示装置に対してモード変更を予告するモード変更予告情報を送ると共に第１の時間計測を開始する機能と、
前記第１の時間計測で、表示装置でのモード判別動作が中断するのに要する、予め決めた時間が経過した際、表示のモード変更を行い、第２の時間計測を開始する機能と、
前記第２の時間計測で、変更後の同期信号が安定するのに要する、予め決めた時間が経過した際、前記表示装置に対し、モード判別動作を再開させるためのモード判別動作再開指示情報を送る機能と、
を実現させるためのプログラムを記録したコンピュータ読み取り可能な記録媒体。
【００９３】
【発明の効果】以上説明したように、本発明によれば次のような効果がある。
【００９４】
（１）  ：請求項１では、情報処理装置本体の信号発生手段は、表示画面の表示モードを変更する前に、表示装置に対してモード変更を予告するモード変更予告情報（例えば、コマンド）を送る。この時、信号発生手段は、前記モード変更の予告時からタイマで時間計測を開始し、表示装置でのモード判別動作の中断がなされるに要する、予め決めた時間経過後、モード変更を行う。この時、表示装置２に対し変更後の同期信号の送信を開始する。
【００９５】
このようにして、情報処理装置本体は、モード変更を行う前に表示装置と通信を行い、その中でモード変更の予告通知を行うことにより、モード切り換えの瞬間や直後の動作不良を無くすことが可能になる。
【００９６】
（２）  ：請求項２では、表示装置のモード判別中断判定部は、情報処理装置本体からモード変更予告情報を受け取った際、モード判別部でのモード判別動作を中断させる（直ちに中断させる）と共に、タイマを起動し、時間計測を開始する。そして、前記時間計測で、モード変更後、同期信号が安定するのに要する、予め決めた時間が経過した際、モード判別部でのモード判別動作を再開させる。
【００９７】
このようにして、表示装置２では、情報処理装置本体からのモード変更予告情報を受信した際、直ちにモード判別動作を中断させると共に、同期信号が安定するのに要する、予め決めた時間が経過した際、モード判別部でのモード判別動作を再開させるので、モード切り換えの瞬間や直後の動作不良を無くすことが可能になる。
【００９８】
（３）  ：請求項３では、情報処理装置本体の信号発生手段は、表示画面の表示モードを変更する前に、表示装置に対してモード変更を予告するモード変更予告情報を送ると共に第１の時間計測を開始する。そして、前記第１の時間計測で、表示装置２でのモード判別動作が中断するのに要する、予め決めた時間が経過した際、表示のモード変更を行い、第２の時間計測を開始する。
【００９９】
そして、前記第２の時間計測で、変更後の同期信号が安定するのに要する、予め決めた時間が経過した際、表示装置に対し、モード判別動作を再開させるためのモード判別動作再開指示情報（例えば、コマンド）を送る。
【０１００】
このようにして、情報処理装置本体は、モード変更を行う前に表示装置と通信を行い、その中でモード変更の予告通知を行うことにより、モード切り換えの瞬間や直後の動作不良を無くすことが可能になる。
【０１０１】
（４）  ：請求項４では、表示装置のモード判別中断判定部は、情報処理装置本体からモード変更予告情報（例えば、コマンド）を受信した際、モード判別部でのモード判別動作を中断させる。そして、情報処理装置本体からモード判別動作再開指示情報を受け取った際、モード判別部でのモード判別動作を再開させる。
【０１０２】
このようにして、表示装置では、情報処理装置本体からのモード変更予告情報を受信した際、直ちにモード判別動作を中断させる。その後、情報処理装置本体からモード判別動作再開指示情報を受け取った際、モード判別部でのモード判別動作を再開させるようにしているので、モード切り換えの瞬間や直後の動作不良を無くすことが可能になる。
【０１０３】
（５）  ：請求項５では、前記記録媒体からプログラムを読み出してコンピュータに実行させることにより、表示画面の表示モードを変更する前に、表示装置に対してモード変更を予告するモード変更予告情報を送る機能と、前記モード変更の予告時から時間計測を開始し、前記表示装置でのモード判別動作の中断がなされるに要する、予め決めた時間経過後、モード変更を行う機能とを実現させることができる。
【０１０４】
そのため、情報処理装置本体は、モード変更を行う前に表示装置と通信を行い、その中でモード変更の予告通知を行うことにより、モード切り換えの瞬間や直後の動作不良を無くすことが可能になる。
【図面の簡単な説明】
【図１】本発明の原理説明図である。
【図２】本発明の実施の形態における装置例の説明図である。
【図３】本発明の実施の形態における例１のＧＡ−表示装置間のタイミングチャートである。
【図４】本発明の実施の形態における例１のＧＡの処理フローチャートである。
【図５】本発明の実施の形態における例１の表示装置の処理フローチャートである。
【図６】本発明の実施の形態における例２のＧＡ−表示装置間のタイミングチャートである。
【図７】本発明の実施の形態における例２のＧＡの処理フローチャートである。
【図８】本発明の実施の形態における例２の表示装置の処理フローチャートである。
【図９】従来例１の説明図である。
【図１０】従来例１における表示装置の処理フローチャートである。
【図１１】従来例２の説明図である。
【図１２】従来例３の説明図である。
【図１３】従来例４の説明図である。
【符号の説明】
１  パーソナルコンピュータ（パソコン）本体
１Ａ  情報処理装置本体
２  表示装置
３  グラフィックアダプタ（ＧＡ）
３Ａ  信号発生部
４  表示部
５  信号処理部
６  モード判別部
７  モード判別中断判定部
８  制御部（プログラム）
（ａ）    ＤＤＣ
（ｂ）    同期信号（ＨＳ、ＶＳ、ＤＥ）
（ｃ）    映像データ（表示データ）
【図１】
2004272132.tif 000003
【図２】
2004272132.tif 000004
【図３】
2004272132.tif 000005
【図４】
2004272132.tif 000006
【図５】
2004272132.tif 000007
【図６】
2004272132.tif 000008
【図７】
2004272132.tif 000009
【図８】
2004272132.tif 000010
【図９】
2004272132.tif 000011
【図１０】
2004272132.tif 000012
【図１１】
2004272132.tif 000013
【図１２】
2004272132.tif 000014
【図１３】
2004272132.tif 000015